(57)【要約】【課題】ドアパネルが両側へ容易に開閉され、閉状態では確実に停止され、良好な開閉動作感触も得られるスウィングドア閉塞停止装置を提供する。【解決手段】取付開口枠１にドアパネル２の一側端部２ａを軸支固定して、ドアパネル２を前後両側へ回動開閉されるようにしたスウィングドアＡにおいて、ドアパネル２の回動開閉側端部２ｂに首振り自在な揺動片３を付設し、揺動片３に先方へ開口した係止凹部４を形成し、揺動片３の基端側に直線状の中立端縁部５を形成し、揺動片３の基端側の端縁に弾接される押圧片６を設け、取付開口枠１に突設される固定ピン７には係止凹部４が着脱自在に係合され、この係合された状態で、押圧片６が中立端縁部５に押圧弾接されることにより揺動片３が首振り停止されて、ドアパネル２が閉状態で確実に停止されるようになした。【選択図】　　　　　図１
2004137821.tif 000002
【特許請求の範囲】
【請求項１】
取付開口枠にドアパネルの一側端部を軸支固定して、このドアパネルを同取付開口枠の前後両側へ回動開閉動作されるようになしたスウィングドアにおいて、ドアパネルを取付開口枠内に閉状態で停止させるスウィングドア閉塞停止装置であり、ドアパネルの回動開閉側端部に同回動開閉側先方を向く方向を中心としてその両側へ略水平に首振り自在な揺動片を付設し、この揺動片の首振り先端側の端縁中程に先方へ開口した係止凹部を形成し、同揺動片の首振り基端側の端縁中程に略直線状の中立端縁部を形成し、同揺動片が首振り動作された際、その基端側の端縁と弾性的に摺接される押圧片を同ドアパネルの回動開閉側端部に付設し、他方、取付開口枠に略垂直な固定ピンを突設して、この固定ピンに対し前記揺動片の係止凹部が同揺動片の首振り動作に伴って着脱自在に係合されるようになし、同固定ピンに係止凹部が係合された状態で、前記押圧片が前記揺動片の中立端縁部に押圧弾接されることにより同揺動片が首振り停止されて、ドアパネルが取付開口枠内に閉状態で停止されるようになしたスウィングドア閉塞停止装置。
【請求項２】
揺動片の首振り基端側の端縁で中立端縁部の両側に面取り状の傾斜端縁部を配設形成し、固定ピンから係止凹部が離脱されたドアパネルの開状態で、いずれか一方の同傾斜端縁部に押圧片が押圧弾接されることにより同揺動片が首振り停止されるようになしたことを特徴とする請求項１記載のスウィングドア閉塞停止装置。
【請求項３】
偏平なケース内で揺動片の基端側を軸支してこの揺動片の先端側を同ケースから突出させ、このケース内に、同揺動片の基端側の端縁と弾性的に摺接される押圧片を進退自在に収容保持すると共に、この押圧片に同弾性を付与するバネ片を収容して、同ケースをドアパネルの回動開閉側端部の上端面或いは下端面に付設したことを特徴とする請求項１又は２記載のスウィングドア閉塞停止装置。
【請求項４】
ドアパネルの回動開閉側端部の上端に揺動片及び押圧片を付設すると共に、取付開口枠の上枠部に固定ピンを垂下突設して、同取付開口枠の下枠部の上面とその前後両側の床面とを略面一状に連続させたことを特徴とする請求項１〜３のいずれか一つに記載のスウィングドア閉塞停止装置。
【請求項５】
取付開口枠とドアパネルとの軸支固定部分において相互に回動摺接する軸受け部及び軸部に、同ドアパネルの閉状態でその自重によって相互に係合される凹所と凸所とを配設形成したことを特徴とする請求項１〜４のいずれか一つに記載のスウィングドア閉塞停止装置。
【発明の詳細な説明】
【０００１】
【発明の属する技術分野】
本発明は、ドアパネルを取付開口枠の前後両側へ回動開閉動作されるようになしたスウィングドアにおいて、ドアパネルを取付開口枠内に閉状態で停止させるスウィングドア閉塞停止装置に関するものである。
【０００２】
【従来の技術】
従来から、特開２０００−２９１２９８号公報に示される如く、戸枠にドアの一側端部をヒンジで軸支固定して、このドアを同戸枠の前後両側へ回動開閉動作されるようになしたスウィングドアにおいて、ドアを戸枠内に閉鎖状態で停止させるドアロック装置が知られている。このドアロック装置では、ラッチが対のロック爪を有しており、両ロック爪は個々にロック孔に対し着脱自在に係止されるものであって、ドアの開放時に、ドアノブが操作されることで両ロック爪は引き込まれる。
【０００３】
この場合、前後両開きのドアにして、その閉鎖中におけるがたつきや風圧等による不意な開放を防止でき、しかも、ドアの閉鎖時には前後いずれからでも各ロック爪をドアノブの操作なしにドアの内部へ押し込むことができて、ドアの開閉操作を適切且つ円滑に行うことができる。
【０００４】
【特許文献１】
特開２０００−２９１２９８号公報
【０００５】
【発明が解決しようとする課題】
しかしながら、上記従来の技術にあっては、ドアの開放時にドアノブを操作する必要があり、両手がふさがっている場合等に、ドアを容易には開放することができないものである。又、ラッチが対のロック爪を有するものであるため、装置全体は複雑な構造で大がかりなものとなる。
【０００６】
それなれば、単純にラッチがラッチ受座に対して弾性的に着脱係止されるようになせば良いのであるが、この場合には、弾性力を強くすると同着脱係止がきつくなって、ドアを開閉し難くなり、逆に弾性力を弱くすると確実に係止されなくなって、ドアはその閉鎖状態で停止され難くなる。又、ドアの建付具合によって着脱係止部位に作用する弾性力が変化するので、同着脱係止に要する開閉動作力は安定したものとならない。
【０００７】
本発明は、上記従来の技術における問題を悉く解決するために発明されたもので、その課題は、安定した開閉動作力でドアパネルを前後両側へ回動させて容易に開閉することができ、このドアパネルは閉状態で確実に停止され、その際、揺動片の係止凹部が固定ピンにスムーズに係止されるものであり、しかも、同ドアパネルを開ける際及び閉じる際にクリック感を生じて、良好な開閉動作感触が得られるスウィングドア閉塞停止装置を提供することである。
【０００８】
【課題を解決するための手段】
本発明の請求項１記載のスウィングドア閉塞停止装置は、取付開口枠にドアパネルの一側端部を軸支固定して、このドアパネルを同取付開口枠の前後両側へ回動開閉動作されるようになしたスウィングドアにおいて、ドアパネルを取付開口枠内に閉状態で停止させるスウィングドア閉塞停止装置であり、ドアパネルの回動開閉側端部に同回動開閉側先方を向く方向を中心としてその両側へ略水平に首振り自在な揺動片を付設し、この揺動片の首振り先端側の端縁中程に先方へ開口した係止凹部を形成し、同揺動片の首振り基端側の端縁中程に略直線状の中立端縁部を形成し、同揺動片が首振り動作された際、その基端側の端縁と弾性的に摺接される押圧片を同ドアパネルの回動開閉側端部に付設し、他方、取付開口枠に略垂直な固定ピンを突設して、この固定ピンに対し前記揺動片の係止凹部が同揺動片の首振り動作に伴って着脱自在に係合されるようになし、同固定ピンに係止凹部が係合された状態で、前記押圧片が前記揺動片の中立端縁部に押圧弾接されることにより同揺動片が首振り停止されて、ドアパネルが取付開口枠内に閉状態で停止されるようになしたものである。
【０００９】
したがって、この場合、ドアパネルの回動開閉側端部に前後両側へ略水平に首振り自在な揺動片が付設され、この揺動片に先方へ開口した係止凹部が形成されており、取付開口枠には略垂直な固定ピンが突設されていて、この固定ピンに同係止凹部が係合された状態では、押圧片が同揺動片の基端側の中立端縁部に押圧弾接されることによりこの揺動片が首振り停止されるので、同ドアパネルは閉状態で確実に停止される。
【００１０】
そして、この閉状態からドアパネルを前記押圧弾接力に抗して前方或いは後方へ回動させることで、揺動片が逆に後方或いは後方へ首振り回動されて、この揺動片の係止凹部は固定ピンからスムーズに離脱され、その際、同揺動片の中立端縁部が押圧片から弾接しながら側方へ外れるので、安定した開動作力で同ドアパネルを前後両側へ回動させて容易に開けることができる。
【００１１】
又、この開状態からドアパネルを後方或いは前方へ回動させると、前記首振り回動された揺動片の係止凹部が固定ピン側に向いているので、この固定ピンに同係止凹部はスムーズに係止される。この係止状態で更にドアパネルを回動させると、揺動片は首振り回動されてその中立端縁部が押圧片に弾接しながら当止されるので、安定した閉動作力で同ドアパネルを前後両側へ回動させて容易に閉じることができ、このドアパネルは閉状態で確実に停止される。
【００１２】
しかも、ドアパネルを開閉動作させる際に、首振り回動される揺動片の中立端縁部が押圧片に対して弾接しながら着脱されるので、同ドアパネルを開ける際及び閉じる際にクリック感を生じて、良好な開閉動作感触が得られる。更には、開閉動作力が揺動片と押圧片との配置間隔で決まるので、建付具合に関係なく同開閉動作力は安定したものとなり、又、一つの同揺動片が首振り回動される簡単な構造であるため、装置全体は大がかりとならない。
【００１３】
本発明の請求項２記載のスウィングドア閉塞停止装置は、上記請求項１記載のスウィングドア閉塞停止装置において、揺動片の首振り基端側の端縁で中立端縁部の両側に面取り状の傾斜端縁部を配設形成し、固定ピンから係止凹部が離脱されたドアパネルの開状態で、いずれか一方の同傾斜端縁部に押圧片が押圧弾接されることにより同揺動片が首振り停止されるようになしたことを特徴とする。
【００１４】
したがって、この場合は特に、揺動片の中立端縁部の両側に傾斜端縁部が配設形成されていて、ドアパネルの開状態でいずれか一方の同傾斜端縁部に押圧片が押圧弾接されることにより同揺動片が首振り停止されるので、この停止された揺動片の係止凹部は固定ピン側に向いた状態で保持されて、この固定ピンに同係止凹部はよりスムーズに係止される。
【００１５】
本発明の請求項３記載のスウィングドア閉塞停止装置は、上記請求項１又は２記載のスウィングドア閉塞停止装置において、偏平なケース内で揺動片の基端側を軸支してこの揺動片の先端側を同ケースから突出させ、このケース内に、同揺動片の基端側の端縁と弾性的に摺接される押圧片を進退自在に収容保持すると共に、この押圧片に同弾性を付与するバネ片を収容して、同ケースをドアパネルの回動開閉側端部の上端面或いは下端面に付設したことを特徴とする。
【００１６】
したがって、この場合は特に、ケース内に揺動片の基端側や押圧片及びこれに弾性を付与するバネ片等の各部材が収容されて、これ等部材を一体化した同ケースとしてドアパネルの回動開閉側端部の上端面或いは下端面に簡単に付設することができる。しかも、各部材を収容するケースが偏平であるため、ドアパネルの上端面或いは下端面と取付開口枠との間隔に同ケースはコンパクトに納まり、前後両側へ回動開閉されるスウィングドアであって戸当りが設けられないものであるものの、同間隔を狭くして隙間を小さく抑えることができる。
【００１７】
本発明の請求項４記載のスウィングドア閉塞停止装置は、上記請求項１〜３のいずれか一つに記載のスウィングドア閉塞停止装置において、ドアパネルの回動開閉側端部の上端に揺動片及び押圧片を付設すると共に、取付開口枠の上枠部に固定ピンを垂下突設して、同取付開口枠の下枠部の上面とその前後両側の床面とを略面一状に連続させたことを特徴とする。
【００１８】
したがって、この場合は特に、揺動片及び押圧片や固定ピン等を上方に配設して、取付開口枠の下枠部の上面とその前後両側の床面とが略面一状に連続されるので、同下枠部の前後には段差が発生せずバリアフリーとなって、車椅子等で身体の不自由な人であっても楽に且つ安全に出入りすることができる。
【００１９】
本発明の請求項５記載のスウィングドア閉塞停止装置は、上記請求項１〜４のいずれか一つに記載のスウィングドア閉塞停止装置において、取付開口枠とドアパネルとの軸支固定部分において相互に回動摺接する軸受け部及び軸部に、同ドアパネルの閉状態でその自重によって相互に係合される凹所と凸所とを配設形成したことを特徴とする。
【００２０】
したがって、この場合は特に、ドアパネルの閉状態で、取付開口枠とドアパネルとの軸支固定部分でも凹所と凸所とが係合されて、同ドアパネルは閉状態でより確実に停止される。しかも、凹所と凸所とはドアパネルの自重によって自動的に係合されるので、操作機構を必要とせず構造が複雑化しない。
【００２１】
【発明の実施の形態】
図１〜５は、本発明の請求項１〜５全てに対応した一実施形態であるスウィングドア閉塞停止装置を示している。このスウィングドア閉塞停止装置は、取付開口枠１にドアパネル２の一側端部２ａを軸支固定して、このドアパネル２を同取付開口枠１の前後両側へ回動開閉動作されるようになしたスウィングドアＡにおいて、図１に示す如く、ドアパネル２を取付開口枠１内に閉状態で停止させるものである。
【００２２】
この場合、ドアパネル２の回動開閉側端部２ｂに同回動開閉側先方を向く方向を中心としてその両側へ略水平に首振り自在な揺動片３を付設し、この揺動片３の首振り先端側の端縁中程に先方へ開口した係止凹部４を形成している。又、揺動片３の首振り基端側の端縁中程に略直線状の中立端縁部５を形成し、同揺動片３が首振り動作された際、その基端側の端縁と弾性的に摺接される押圧片６をドアパネル２の回動開閉側端部２ｂに付設している。
【００２３】
他方、取付開口枠１に略垂直な固定ピン７を突設して、この固定ピン７に対し前記揺動片３の係止凹部４が同揺動片３の首振り動作に伴って着脱自在に係合されるようになしている。又、固定ピン７に係止凹部４が係合された状態で、前記押圧片６が前記揺動片３の中立端縁部５に押圧弾接されることにより同揺動片３が首振り停止されて、ドアパネル２が取付開口枠１内に閉状態で停止されるようになしている。
【００２４】
更に、このスウィングドア閉塞停止装置では、揺動片３の首振り基端側の端縁で中立端縁部５の両側に面取り状の傾斜端縁部８を配設形成して、図２に示す如く、固定ピン７から係止凹部４が離脱されたドアパネル２の開状態で、いずれか一方の同傾斜端縁部８に押圧片６が押圧弾接されることにより同揺動片３が首振り停止されるようになしている。
【００２５】
又、このスウィングドア閉塞停止装置では、図３に示す如く、偏平なケース９内で揺動片３の基端側を軸支してこの揺動片３の先端側を同ケース９から突出させ、このケース９内に、図１に示す如く、同揺動片３の基端側の端縁と弾性的に摺接される押圧片６を進退自在に収容保持すると共に、この押圧片６に同弾性を付与するバネ片１０を収容して、同ケース９をドアパネル２の回動開閉側端部２ｂの上端面２ｃに付設（下端面２ｄに付設する場合には、固定ピン７を取付開口枠１の下枠部１ｂに直立突設する）している。
【００２６】
又、このスウィングドア閉塞停止装置では、ドアパネル２の回動開閉側端部２ｂの上端に揺動片３及び押圧片６を付設すると共に、取付開口枠１の上枠部１ａに固定ピン７を垂下突設して、図４に示す如く、同取付開口枠１の下枠部１ｂの上面とその前後両側の床面Ｆとを略面一状に連続させている。
【００２７】
又、このスウィングドア閉塞停止装置では、図５に示す如く、取付開口枠１とドアパネル２との軸支固定部分において相互に回動摺接する軸受け部１１及び軸部１２に、同ドアパネル２の閉状態でその自重によって相互に係合される凹所１３と凸所１４とを配設形成している。
【００２８】
以下、この実施形態のスウィングドア閉塞停止装置について、その具体的構成をより詳細に説明する。この実施形態におけるスウィングドアＡは、図４に示す如く、建物内で頻繁に出入りされる部屋を仕切る壁Ｗに施工されているが、同スウィングドアＡを建物内の通路に施工することもできる。そして、取付開口枠１は縦長の矩形状で、この取付開口枠１より若干小さな矩形状にドアパネル２が形成されている。
【００２９】
ドアパネル２はその一側端部２ａの上下両端で軸支固定されており、下端側の軸支固定部分では、軸受け部１１と軸部１２とが回動摺接され、上端側の軸支固定部分では、同ドアパネル２の上端と取付開口枠１の上枠部１ａとが軸ピン１５を介して枢支連結されている。ドアパネル２の回動開閉側端部２ｂでは、その表裏両側に把手１６が突設されており、この把手１６はロック操作機能を有しないものである。
【００３０】
そして、ドアパネル２を開閉する場合、両手がふさがっているときには同ドアパネル２の回動開閉側端部２ｂ付近を押して、それ以外のときには前記把手１６を持って押し引きするかにより、容易に回動開閉動作させることができる。その際には、後述の弾性によるクリック感が生じるだけで、何らの操作も必要とせず、楽に開閉することができる。
【００３１】
又、ここでは、ドアパネル２の回動開閉側端部２ｂの上端面２ｃにのみケース９と共に揺動片３（及び押圧片６）を付設し、取付開口枠１の上枠部１ａにのみ固定ピン７を垂下突設しており、同取付開口枠１の下枠部１ｂの上面とその前後両側の床面Ｆとを略面一状に連続させてもいる。それ故、取付開口枠１の下枠部１ｂの前後には段差が発生せず、傷害物も存在せずバリアフリーの形態となっている。
【００３２】
ドアパネル２の回動開閉側端部２ｂの上端面２ｃに、ネジ止め等で付設固着されるケース９内では、図１に示す如く、揺動片３の基端側が枢支軸１７で軸支されており、この揺動片３の基端側の端縁と弾性的に摺接される押圧片６は、同ケース９内に先後方向進退自在に収容保持され、この押圧片６に同弾性を付与するコイルスプリングであるバネ片１０も収容されている。なお、この場合、ケース９をドアパネル２の回動開閉側端部２ｂの平坦な上端面２ｃにそのまま付設しているが、この上端面２ｃのコーナーに切欠を形成し、この切欠部分に同ケース９を埋設固定することもできる。
【００３３】
ケース９はドアパネル２の回動開閉側先方に開口９ａした偏平な箱形状で、その開口９ａ付近に揺動片３の基端側が枢支軸１７で軸着されている。揺動片３は摩擦抵抗が小さくて磨耗し難い合成樹脂や金属等の材料でなり、枢支軸１７付近から先方向へ二股状に分岐した形状に形成され、この二股状に分岐した両分岐片１８の間に先方へ開口した係止凹部４が形成される。係止凹部４の開口付近には、固定ピン７に着脱係止され易くするために、開口側へ曲面的に拡開したテーパーが付与されている。そして、揺動片３の両分岐片１８及びその間の係止凹部４の部分が、ケース９の開口９ａから先方へ水平方向首振り自在に突出されている。
【００３４】
揺動片３の基端側の端縁には、その略中央にドアパネル２の厚み中央と直交する直線的な平坦面となった中立端縁部５が形成され、この中立端縁部５の両側にはこれに隣接連続して面取り平坦面状の傾斜端縁部８が配設形成されている。そして、揺動片３が首振り回動されることで、中立端縁部５或いは両傾斜端縁部８のいずれか一つが押圧片６に当止し弾性的に押圧されて、同揺動片３の首振り回動は停止される。この場合、押圧片６が中立端縁部５と傾斜端縁部８との間を乗り越える際に、弾性的に摺接されていることでクリック感を発生する。
【００３５】
押圧片６は摩擦抵抗が小さくて磨耗し難い合成樹脂や金属等の材料でなり、ケース９内に先後方向進退自在に収容保持され、その後方に配置収容されるバネ片１０によって先方へ弾発付勢される。ケース９内の後端付近には先後方向進退自在にバネ受け片１９が収容保持されており、このバネ受け片１９にはバネ片１０の後端が当接支持される。
【００３６】
又、ケース９の後端壁９ｂにはナット２０が固着され、このナット２０に螺合される調整ビス２１が同後端壁９ｂにその後方から挿通されている。調整ビス２１の先端は前記バネ受け片１９を当接支持するものであり、この調整ビス２１を回動操作することで、同バネ受け片１９が先後方向に進退動作され、これによって、前記バネ１０により押圧片６に付与される弾発付勢される。それ故、ドアパネル２を回動開閉動作させる際に生じるクリック感の大きさや開閉抵抗力を、調整ビス２１の回動操作によって簡単に調整することができる。
【００３７】
固定ピン７は略円柱形状で、摩擦抵抗が小さくて磨耗し難い合成樹脂や金属等の材料でなり、図３に示す如く、取付開口枠１の上枠部１ａに垂下突設され、同取付開口枠１のコーナー付近に配置されている。固定ピン７は前記ケース９に軸支される揺動片３に対応して配置されるものであるが、この揺動片３の係止凹部４の深さ寸法に余裕があれば、ドアパネル２の建付具合にそれほど影響されずに同係止凹部４に対して支障なく着脱係止されるので、比較的簡単に位置決めして同固定ピン７を配置固定することができる。
【００３８】
ドアパネル２の下端側の軸支固定部分では、図５に示す如く、軸受け部１１と軸部１２とが回動摺接されるものである。軸受け部１１及び軸部１２はいずれも、摩擦抵抗が小さくて磨耗し難い合成樹脂や金属等の材料でなり、略円柱形状に形成されている。軸受け部１１は取付開口枠１の下枠部１ｂの上面に取着固定され、その中央に軸孔２２が形成されている。軸部１２はドアパネル２の一側端部２ａの下端面２ｄに取着固定され、その中央に軸片２３が突設されている。
【００３９】
そして、軸片２３が軸孔２２に回動自在に嵌合されることで、軸受け部１１と軸部１２とは回動摺接自在に結合される。ここで、軸受け部１１と軸部１２とは、軸孔２２及び軸片２３の周囲表面同士が摺接されるものである。この周囲表面において、軸受け部１１には凹所１３が軸部１２には凸所１４が各々配設形成されている。凹所１３は軸受け部１１の表面を横切る断面略半円弧の凹溝状に形成され、この凹所１３に対応する凸所１４は軸部１２の表面を横切る断面略半円弧の凸条状に形成されている。この場合は、凹所１３と凸所１４とがドアパネル２の閉状態でその自重によって相互に係合されるもので、このような両者係合位置関係となるように、軸受け部１１及び軸部１２はその向きが適切にされて取着固定される。
【００４０】
又、図６は、この実施形態のスウィングドア閉塞停止装置における、ドアパネル２の下端側の軸支固定部分の別例を示している。この場合、軸受け部１１の中央に軸片２３が突設され、軸部１２の中央に軸孔２２が形成されている。そして、軸受け部１１の軸片２３の周囲表面には、周方向で等間隔に谷形状の凹所１３と山形状の凸所１４とが交互に連続して二対配設形成されている。これに対応して、軸部１２の軸孔２２の周囲表面には、周方向で等間隔に山形状の凸所１４と谷形状の凹所１３とが交互に二対配設形成されている。
【００４１】
したがって、この場合、ドアパネル２の自重によって、山形状の凸所１４が谷形状の凹所１３へとテーパーにガイドされながらスムーズに摺接回動される。又、このテーパーガイド作用を増大させることにより、前後両側に開閉されるオートクローズタイプのスウィングドアＡとすることもできる。なお、それ以外は、図５に示した構成と同様で、これと同様の作用効果が奏される。
【００４２】
したがって、この実施形態のスウィングドア閉塞停止装置においては、ドアパネル２の回動開閉側端部２ｂに前後両側へ略水平に首振り自在な揺動片３が付設され、この揺動片３に先方へ開口した係止凹部４が形成されており、取付開口枠１には略垂直な固定ピン７が突設されていて、この固定ピン７に同係止凹部４が係合された状態では、図１に示す如く、押圧片６が同揺動片３の基端側の中立端縁部５に押圧弾接されることにより、この揺動片３が首振り停止されるので、同ドアパネル２は閉状態で確実に停止される。
【００４３】
そして、この閉状態からドアパネル２を前記押圧弾接力に抗して、図２（ａ）（ｂ）に示す如く、前方或いは後方へ回動させることで、揺動片３が逆に後方或いは後方へ首振り回動されて、この揺動片３の係止凹部４は固定ピン７からスムーズに離脱され、その際、同揺動片３の中立端縁部５が押圧片６から弾接しながら側方へ外れるので、安定した開動作力で同ドアパネル２を前後両側へ回動させて容易に開けることができる。
【００４４】
又、この開状態からドアパネル２を後方或いは前方へ回動させると、前記首振り回動された揺動片３の係止凹部４が、図２（ａ）（ｂ）いずれにあっても、固定ピン７側に向いているので、この固定ピン７に同係止凹部４はスムーズに係止される。この係止状態でドアパネル２を更に閉じ側へ回動させると、揺動片３は首振り回動されてその中立端縁部５が押圧片６に弾接しながら当止される。それ故、安定した閉動作力でドアパネル２を前後両側へ回動させて容易に閉じることができ、図１に示す如く、同ドアパネル２は閉状態で確実に停止される。
【００４５】
しかも、前記の如く、ドアパネル２を開閉動作させる際に、首振り回動される揺動片３の中立端縁部５が押圧片６に対して弾接しながら着脱されるので、同ドアパネル２を開ける際及び閉じる際にクリック感を生じて、良好な開閉動作感触が得られる。更には、開閉動作力が揺動片３と押圧片６との配置間隔で決定されるので、建付具合に関係なく同開閉動作力は安定したものとなり、又、一つの同揺動片３が首振り回動される簡単な構造であるため、装置全体は大がかりとならない。
【００４６】
更に、この実施形態のスウィングドア閉塞停止装置においては、揺動片３の中立端縁部５の両側に傾斜端縁部８が配設形成されていて、図２に示す如く、ドアパネル２の開状態でいずれか一方の同傾斜端縁部８に押圧片６が押圧弾接されることにより同揺動片３が首振り停止されるので、この停止された揺動片３の係止凹部４は固定ピン７側に向いた状態で保持されて、この固定ピン７に同係止凹部４はよりスムーズに係止される。
【００４７】
又、この実施形態のスウィングドア閉塞停止装置においては、ケース９内に揺動片３の基端側や押圧片６及びこれに弾性を付与するバネ片１０等の各部材が収容されて、これ等部材を一体化した同ケース９としてドアパネル２の回動開閉側端部２ｂの上端面２ｃ（或いは下端面２ｄ）に簡単に付設することができ、取り替えやメンテナンスも容易である。
【００４８】
しかも、図３に示す如く、各部材を収容するケース９が偏平であるため、ドアパネル２の上端面２ｃ（或いは下端面２ｄ）と取付開口枠１との間隔に同ケース９はコンパクトに納まり、この間隔を狭くして隙間を小さく抑えることができる。それ故、前後両側へ回動開閉されるスウィングドアＡであって、戸当りが設けられないものに最適となる。
【００４９】
又、この実施形態のスウィングドア閉塞停止装置においては、揺動片３及び押圧片６や固定ピン７等を上方に配設して、図４に示す如く、取付開口枠１の下枠部１ｂの上面とその前後両側の床面Ｆとが略面一状に連続されるので、同下枠部１ｂの前後には段差が発生せずバリアフリーとなって、車椅子等で身体の不自由な人であっても楽に且つ安全に出入りすることができる。
【００５０】
又、この実施形態のスウィングドア閉塞停止装置においては、ドアパネル２の閉状態で、取付開口枠１とドアパネル２との軸支固定部分でも凹所１３と凸所１４とが係合されて、同ドアパネル２は閉状態でより確実に停止される。しかも、凹所１３と凸所１４とはドアパネル２の自重によって自動的に係合されるので、操作機構を必要とせず構造が複雑化しない。
【００５１】
【発明の効果】
上述の如く、本発明の請求項１記載のスウィングドア閉塞停止装置においては、ドアパネルが閉状態で確実に停止され、この閉状態から同ドアパネルを安定した開動作力で前後両側へ容易に開けることができる。そして、この開状態からドアパネルを安定した閉動作力で容易に閉じることができ、その際、固定ピンに係止凹部はスムーズに係止される。又、ドアパネルを開閉する際にクリック感を生じて良好な開閉動作感触が得られ、開閉動作力は極めて安定したものとなり、しかも、装置全体が大がかりとならない。
【００５２】
又、本発明の請求項２記載のスウィングドア閉塞停止装置においては、特に、ドアパネルの開状態で揺動片が首振り停止されて、この停止された揺動片の係止凹部は固定ピン側に向いた状態で保持され、この固定ピンに同係止凹部はよりスムーズに係止される。
【００５３】
又、本発明の請求項３記載のスウィングドア閉塞停止装置においては、特に、揺動片や押圧片等の各部材を一体化したケースとしてドアパネルに簡単に付設することができ、しかも、このドアパネルと取付開口枠との間隔に同ケースはコンパクトに納まり、この間隔での隙間を小さく抑えることができる。
【００５４】
又、本発明の請求項４記載のスウィングドア閉塞停止装置においては、特に、揺動片や固定ピン等が上方に配設され、取付開口枠の下枠部の前後には段差が発生せずバリアフリーとなって、車椅子等で身体の不自由な人であっても楽に且つ安全に出入りすることができる。
【００５５】
又、本発明の請求項５記載のスウィングドア閉塞停止装置においては、特に、軸支固定部分でも凹所と凸所とが係合されて、ドアパネルは閉状態でより確実に停止され、しかも、凹所と凸所とは同ドアパネルの自重によって自動的に係合され、操作機構を必要とせず構造が複雑化しない。
【図面の簡単な説明】
【図１】本発明の一実施形態であるスウィングドア閉塞停止装置を示す閉状態での要部横断面図。
【図２】同スウィングドア閉塞停止装置の動作状態を示す（ａ）、（ｂ）各々異なる開状態での要部横断面図。
【図３】同スウィングドア閉塞停止装置を示す要部斜視図。
【図４】同スウィングドア閉塞停止装置におけるスウィングドア全体を示す（ａ）は正面図、（ｂ）は（ａ）におけるＸ−Ｘ断面図。
【図５】同スウィングドア閉塞停止装置における軸支固定部分を分解して示す要部斜視図。
【図６】同スウィングドア閉塞停止装置における別例の軸支固定部分を分解して示す要部斜視図。
【符号の説明】
１　取付開口枠
１ａ　上枠部
１ｂ　下枠部
２　ドアパネル
２ａ　一側端部
２ｂ　回動開閉側端部
２ｃ　上端面
２ｄ　下端面
３　揺動片
４　係止凹部
５　中立端縁部
６　押圧片
７　固定ピン
８　傾斜端縁部
９　ケース
１０　バネ片
１１　軸受け部
１２　軸部
１３　凹所
１４　凸所
Ａ　スウィングドア
Ｆ　床面
【図１】
2004137821.tif 000003
【図２】
2004137821.tif 000004
【図３】
2004137821.tif 000005
【図４】
2004137821.tif 000006
【図５】
2004137821.tif 000007
【図６】
2004137821.tif 000008